(57)【特許請求の範囲】
【請求項１】
装置正面に配設した紙幣入金口と、
装置本体に対して着脱自在に装着されて紙幣を整列積載収納する紙幣収納部と、
前記紙幣入金口から投入された紙幣を前記紙幣収納部へ紙幣を案内するとともに前記紙幣収納部の上流において紙幣の真偽および種類を判別する紙幣識別センサを配置した紙幣搬送通路と、を具える紙幣処理装置において、
前記紙幣収納部を前記紙幣識別センサの後方に配置するとともに、
前記紙幣識別センサが配置された前記紙幣搬送通路を開閉自在な開閉部を具え、
前記開閉部は、前記紙幣収納部を取外した状態において前記紙幣搬送通路を後方に開閉可能とするものであり、
前記紙幣識別センサが配置された紙幣搬送通路と、前記紙幣収納部内に設けられた紙幣搬送通路と、は、前後に並列かつ紙幣搬送方向が略垂直であるように配置され、
前記紙幣収納部は、
紙幣を整列積載収納する紙幣収納庫と、
前記紙幣収納庫に収納された紙幣の長手方向側縁と前記紙幣搬送通路を通過する紙幣の長手方向側縁とを隔てるスタックガイドと、
該スタックガイドを前後方向に往復移動させる往復手段と、
前記スタックガイド内における紙幣の前面に当接して該スタックガイド内の紙幣の前方への移動を規制する保持板と、
前記スタックガイドに設けられて該スタックガイドの往復動作時に前記開閉部に当接することによって前記開閉部を前方に付勢する付勢部と、を具えることを特徴とする紙幣処理装置。
【発明の詳細な説明】
【技術分野】
【０００１】
本発明は、自動販売機、両替機、無人駐車場の料金機等の機器に搭載されて、投入紙幣の真偽を判別するとともに、真券を紙幣収納部内に積載収納する小型の紙幣処理装置に関し、特に、紙幣識別部の保守点検作業を容易にする技術に関する。
【背景技術】
【０００２】
一般に、紙幣を取り扱う自動販売機や両替機、無人駐車場の料金機等の機器本体内部には、投入された紙幣が真券であるか否かを判別するとともに、真券と判別された紙幣のみを収納するようにした紙幣処理装置が搭載されている。
【０００３】
この紙幣処理装置は、入金口から投入された紙幣を装置本体内部へ搬送する紙幣搬送手段を具える紙幣搬送通路と、搬送された紙幣の真偽を識別する紙幣識別手段を具える紙幣識別部と、真券と判別された紙幣を積載収納する紙幣収納手段を具える紙幣収納部とを有して構成されている。
【０００４】
従来、種々の紙幣処理装置が知られており、紙幣識別部に関しては、紙幣搬送通路内の所定の位置に磁気センサと光センサとからなる複数の識別センサを配置して、紙幣の所定の位置を走査することによって、紙幣の物理的特徴を検出し、各センサの検出出力に基づいて紙幣の真偽を総合判定するものが一般的であり、そして、紙幣識別部の保守点検作業を容易にできるように、センサの配置された紙幣搬送通路を開閉自在にする技術がある。
【０００５】
また、紙幣収納部に関しては、紙幣搬送通路から紙幣を一枚ずつ紙幣収納庫に整列積載収納する紙幣収納技術や、複数の紙幣収納庫を具えて紙幣を金種毎に収納する技術、そして、紙幣の回収および補充作業を容易にできるように紙幣収納部を紙幣処理装置本体から着脱自在にする技術がある。
【０００６】
このような紙幣処理装置において、自動販売機や両替機、無人駐車場の料金機等の被搭載機側における紙幣処理装置の搭載スペースは限られており、収納可能な紙幣枚数を減少させることなく、また各機能を低下させることもなく、紙幣処理装置自体を小型化する技術が望まれており、特に、複数の金種の紙幣を扱い、金種毎に別々の収納庫に収納する紙幣処理装置においては、装置が大型化する傾向にあるため、省スペース化技術が望まれている。
【０００７】
同時に、紙幣識別部においては、埃やゴミ等が付着した紙幣が投入された場合に紙幣識別手段のセンサに埃やゴミ等が付着することによる識別レベルの低下および紙幣識別ミス等を防止するために、定期的に清掃あるいは交換等の保守点検作業をする必要がある。
【０００８】
例えば、特許文献１（特開２００１―３１２７５９号公報）には、紙幣識別手段を一体的に内設したユニットボックスを、軸支箇所を支点として回動開閉させ、さらに紙幣識別手段を脱着させて、センサの表面の清掃作業を可能としているとともに、ユニットボックスを閉塞した際に紙幣識別手段を識別認識位置に留まらせるロック部材を具えて、紙幣識別レベルの低下を防止する紙幣処理装置が開示されている。
【０００９】
しかしながら、特許文献１の紙幣処理装置は、清掃作業完了後にユニットボックスのロックが中途半端にかかったままであった場合、軸支箇所部分の紙幣搬送通路が狭まり紙幣搬送時に紙幣が詰まったり、光センサの光路がずれて識別レベルが低下し、識別認識率が下がったりする虞があった。
【００１０】
これに対し、特許文献２（特開２００３―２２４６３号公報）には、紙幣識別部の僅かな開き状態を検出するためにセンサの信号の状態を利用して、透光状態を継続している場合には、紙幣識別手段が待機位置よりも開いていると判断する紙幣識別装置が開示されている。
【００１１】
しかしながら、特許文献２の紙幣識別装置は、センサの信号の状態を利用して紙幣識別手段の待機位置を検出するので、例えば紙幣識別手段が開いていた場合、再度ロックをかけるという煩わしさが発生する。また、清掃点検作業に要する時間が長くなり自動販売機等の稼働時間を短縮させてしまうという課題があった。
【００１２】
ところで、特許文献１、特許文献２に示すような、開閉可能な紙幣識別部および着脱可能な紙幣収納部を具える従来の紙幣処理装置は、紙幣を投入する入金口を正面側に有して、この入金口が自動販売機等の機器正面の扉から露出するように扉の内側に取付けられており、紙幣処理装置を扉に取付けた状態のまま紙幣識別部の開閉および紙幣収納部の着脱が可能であるように、紙幣識別部および紙幣収納部を装置後端に配設している。
【００１３】
そのため、紙幣識別部と各収納庫とを縦方向に並設する構成とする必要があり、装置が縦方向のみに大型化してしまう難点があった。特に、複数の収納庫を具える紙幣処理装置の場合は顕著である。
【先行技術文献】
【特許文献】
【００１４】
【特許文献１】特開２００１―３１２７５９号公報
【特許文献２】特開２００３―２２４６３号公報
【発明の概要】
【発明が解決しようとする課題】
【００１５】
そこで、本発明は、上述した事情に鑑み、紙幣識別センサの配設された紙幣搬送通路が開閉自在かつ紙幣収納部が着脱自在である紙幣処理装置において、小型であって、紙幣識別センサの配置された紙幣搬送通路の閉め忘れを防止できる紙幣処理装置を提供することを目的とする。
【課題を解決するための手段】
【００１６】
上述した課題を解決するために、本発明の紙幣処理装置では、装置正面に配設した紙幣入金口と、装置本体に対して着脱自在に装着されて紙幣を整列積載収納する紙幣収納部と、前記紙幣投入口から投入された紙幣を前記紙幣収納部へ紙幣を案内するとともに前記紙幣収納部の上流において紙幣の真偽および種類を判別する紙幣識別センサを配置した紙幣搬送通路とを具え、前記紙幣収納部を前記紙幣識別部の後方に配置するとともに、前記紙幣識別センサが配置された前記紙幣搬送通路を開閉自在な開閉部をさらに具え、前記紙幣収納部を取外した状態において前記開閉部は前記紙幣搬送通路を後方に開くようにしている。
【００１７】
さらに、前記紙幣識別センサが配置された紙幣搬送通路と、前記紙幣収納部内に設けられた紙幣搬送通路とを前後に並列かつ紙幣搬送方向が略垂直であるように配置し、前記紙幣収納部が、紙幣を整列積載収納する紙幣収納庫と、前記紙幣収納庫に収納された紙幣の長手方向側縁と前記紙幣搬送通路を通過する紙幣の長手方向側縁とを隔てるスタックガイドと、該スタックガイドを前後方向に往復移動させる往復手段と、前記スタックガイド内における紙幣の前面に当接して該スタックガイド内の紙幣の前方への移動を規制する保持板と、前記スタックガイドに設けられて該スタックガイドの往復動作時に前記開閉部に当接することによって前記開閉部を前方に付勢する付勢部とを具えるようにしてもよい。
【発明の効果】
【００１８】
このように、本発明の紙幣処理装置は、紙幣識別部の後方に紙幣収納部を配置することによって装置の小型化を可能にするとともに、紙幣収納部を取外した状態において紙幣識別部が設けられた紙幣搬送通路を開閉する開閉部が後方に開くように配置することによって、紙幣識別部の保守点検作業完了後に開閉部を閉塞しないと紙幣収納部を装着できないようにしたので、紙幣収納部装着時における開閉部の閉め忘れを防止することができる。
【００１９】
さらに、紙幣収納部内に設けられたスタックガイドが往復移動をした際に、紙幣識別部の開閉部に当接する付勢部をスタックガイドに設けることによって、開閉部が完全に閉塞していない場合においても、初期動作において付勢部が開閉部を付勢して完全に閉塞することができるので、作業者が再度開閉部を閉塞する必要がなく、作業に要する時間を短縮することができる。
【図面の簡単な説明】
【００２０】
【図１】本発明の一実施例に係る紙幣処理装置の概略構成を示す中央縦断面図。
【図２】紙幣受入可能状態（待機状態）における概略構成を示す図であって、（ａ）は紙幣処理装置の中央縦断面図、（ｂ）は紙幣識別部の開閉部の概略右側面図。
【図３】開閉部が完全に閉塞していない状態において、紙幣収納部の装着直後における概略構成を示す図であって、（ａ）は紙幣処理装置の中央縦断面図、（ｂ）は紙幣識別部の開閉部の概略右側面図。
【図４】開閉部が完全に閉塞していない状態において、初期動作中に付勢部が開閉部に当接した際の概略構成を示す図であって、（ａ）は紙幣処理装置の中央縦断面図、（ｂ）は紙幣識別部の開閉部の概略右側面図。
【図５】開閉部が完全に閉塞していない状態において、初期動作中に付勢部が開閉部を押圧した際の概略構成を示す図であって、（ａ）は紙幣処理装置の中央縦断面図、（ｂ）は紙幣識別部の開閉部の概略右側面図。
【図６】開閉部が完全に閉塞していない状態において、スタックガイドが最大移動位置に到達した際の概略構成を示す図であって、（ａ）は紙幣処理装置の中央縦断面図、（ｂ）は紙幣識別部の開閉部の概略右側面図。
【００２１】
以下、本発明の一実施例に係る紙幣処理装置１について、図１乃至図６に示す図を参照しながら説明する。以降の説明では、先に紙幣処理装置１の構成を説明し、その後、紙幣収納部６における初期動作について説明する。
【００２２】
なお、本発明は、金種毎の複数の紙幣収納部を有する紙幣処理装置や、紙幣収納部に収納した紙幣を一枚ずつ返却する循環紙幣返却機構を具えた紙幣処理装置等にも適用可能であるが、本実施例における紙幣処理装置１は、一つの紙幣収納部６のみ具え、循環紙幣返却機構は具えないものとする。また、各図面において、紙幣を挿入する入金口２１が配設される側を正面と定義するものとする。
【００２３】
図１は、紙幣処理装置１の中央縦断面図であって、紙幣収納部６の着脱、および紙幣識別部３の開閉部４の開閉を示す図であり、図２（ａ）は、紙幣受入可能状態（待機状態）における紙幣処理装置１の中央縦断面図であり、図２（ｂ）は、紙幣受入可能状態（待機状態）における開閉部４の右側面図である。
【００２４】
図１および図２に示すように、紙幣処理装置１において、紙幣が搬送される紙幣搬送通路２は、装置本体正面側に配設した入金口２１を上流端として後方（図示右方）に向かい、すぐに下方に折曲して垂直下方に延設されて、紙幣の真偽および金種を識別する紙幣識別部３を通過した後、再び後方に折曲して、さらに奥行方向の略中心部で上方に折曲して垂直上方に延設されて、紙幣を垂直姿勢に積載収納する紙幣収納部６内の収納待機位置（後述する一対のスタックガイド６４の凹溝６５に囲まれた領域）を下流端として終端する。
【００２５】
紙幣搬送通路２の上流端における入金口２１の近傍には、入金口２１から挿入された紙幣を検知する図示せぬ入口センサが配設されており、この入口センサの検出出力に基づいて、投入紙幣を紙幣搬送通路２の下流へ搬送する紙幣搬送手段が駆動される。
【００２６】
紙幣搬送通路２の各所には、紙幣を下流へ搬送する図示せぬ紙幣搬送手段が設けられており、この紙幣搬送手段は、搬送モータにより駆動し、駆動プーリといくつかの従動プーリとの間に懸架された搬送ベルトと、該搬送ベルトに圧接する複数の従動ローラとによって紙幣を挟持して紙幣搬送通路２内の紙幣を搬送させる。なお、本実施例では搬送ベルトによって紙幣を搬送する例で説明するが、搬送ローラによって紙幣を搬送するものであってもよい。
【００２７】
なお、本実施例において、紙幣を返却する際には、紙幣搬送手段を逆転させて紙幣搬送通路２内を逆送させ、入金口２１から返却することを想定しているが、例えば、紙幣収納部６の上方に紙幣搬送通路２を延設し、その下流端に入金口２１とは別に返却口を設けて、単一方向のみに紙幣を搬送するようにしてもよい。
【００２８】
紙幣識別部３における紙幣搬送通路２の前壁面３１および後壁面４１の両壁面には、それぞれ図示せぬ磁気センサおよび光センサからなる複数の識別センサを配置しており、各センサが紙幣搬送通路２内を通過する紙幣の所定の位置を走査することによって紙幣の物理的特徴を検出し、この検出出力に基づいて紙幣の真偽および金種を総合判定するようにしている。なお、本実施例では前壁面３１および後壁面４１の両壁面に識別センサが配置された例で説明するが、反射型の光センサ等を用いて前壁面３１または後壁面４１のいずれか一方の壁面にのみ識別センサを配置する構成としてもよい。
【００２９】
後壁面４１は、紙幣識別部３における紙幣搬送通路２を後側から開閉自在に覆う開閉部４の前面に形成され、開閉部４は、その下部に形成した開閉軸４２を介し、紙幣処理装置１本体に対して回動自在に支承されている。開閉部４の後方は紙幣収納部６に連通しており、紙幣収納部６を取外した状態において、後方に拡開して、前壁面３１および後壁面４１を露出できるようにしている。
【００３０】
この開閉部４を閉塞しないと紙幣収納部６を装着できない構成としており、紙幣収納部６装着時における開閉部４の閉め忘れを防止するようにしている。なお、紙幣識別部３に対して常時外力がかかると識別レベルの低下を招く虞があるため、開閉部４の後方には若干の隙間を設けて、紙幣収納部６とは直接接触しないようにするのが好ましい。
【００３１】
閉塞した開閉部４の紙幣処理装置１本体への固定は、開閉部４の上部に配設したロック部材５と紙幣処理装置１本体に設けたロック受部３２との掛合からなるロック機構によって行う。このロック部材５は、ロックレバー５１と、回動軸５２と、ロック凸部５３と、弾性腕部５４とを有して樹脂により一体的に形成されるものであって、開閉部４の左右中央の上部に配設したロックレバー５１によって、開閉部４後方から操作可能である。
【００３２】
ロックレバー５１は、常時は水平姿勢であり、その後端を下方に付勢することによって、開閉部４上部の前方寄りに配置した回動軸５２を中心に揺動するように配設される。また、開閉部４上部後方寄りの両側方には、左右外側に向かって凸設される円柱形状のロック凸部５３を形成しており、ロックレバー５１の揺動に連動して、ロック凸部５３が回動軸５２を中心に揺動するようにしている。
【００３３】
また、開閉部４の両側方において回転軸５２の下方には、垂直下方に延びてかつ弾性を有する棒状の弾性腕部５４を形成している。弾性腕部５４の下端は、開閉部４の両側面に設けた固着部４３に固着され、ロックレバー５１が下方に付勢された際に、弾性腕部５４が前方に湾曲して、この弾性復帰力によって、ロックレバー５１が上方に復帰するようにしている。
【００３４】
他方、開閉部４が閉塞した状態において、紙幣処理装置１本体におけるロック凸部５３の左右に対向する位置には、略逆Ｕ字形状の断面を有するロック受部３２を形成している。開閉部４を閉塞し、かつロックレバー５１を付勢していない状態では、ロック凸部５３がロック受部３２内に掛合してロック状態となる。そして、ロックレバー５１を下方に付勢すると、ロック受部３２からロック凸部５３が外れてロック解除状態となり、開閉部４を後方に傾倒できる。この際、ロック凸部５３は、ロック受部３２後壁の下方を潜り抜ける。
【００３５】
また、ロック受部３２後面には斜面３３を形成して、ロックレバー５１を下方に付勢しないまま開閉部４を閉塞する場合に、斜面３３に当接したロック凸部５３を下方に案内して、ロック凸部５３がロック受部３２後壁の下方を潜り抜けられるようにしている（図５（ｂ）および図６（ｂ）参照）。この際、ロック凸部５３に連動して、ロックレバー５１が下方に揺動して、弾性腕部５４が前方に湾曲し、ロック凸部５３は弾性腕部５４の弾性復帰力によって上方に付勢されるので、ロック受部３２後壁を潜り抜けた後は、ロック受部３２内に掛合し、開閉部４が装置本体にロックされる。
【００３６】
なお、ロック受部３２の斜面３３は、ロック凸部５３が潜り込みやすいように、垂直面に対して４５度以上の傾斜角度になるように設けるのが好ましい。また、各図において、ロック凸部５３、弾性腕部５４、固着部４３、ロック受部３２は、図示せぬ左方にも左右対称に設けられるものとする。
【００３７】
紙幣収納部６は、紙幣識別部３より下流の、紙幣搬送通路２が垂直に設けられる位置において配設されるものであり、紙幣処理装置１を図示せぬ機器に配設した状態のまま、装置本体に対して後方から水平方向に抜差し可能に装着される。なお、収納紙幣の回収等が可能であるように、紙幣収納部６本体の上方は開放されるものとする。
【００３８】
循環紙幣収納部６内部は、大別すると、紙幣搬送通路２の後方に配置される紙幣収納庫６１と、前方に配置される紙幣収納機構とからなり、紙幣搬送通路２における紙幣収納庫６１に対向する位置（収納待機位置）にある紙幣を、紙幣収納機構によって、一枚ずつ紙幣収納庫６１内に収納するように構成される。
【００３９】
紙幣収納庫６１は、紙幣搬送通路２を通過する紙幣に対して平行に配置される略矩形の板状であってかつ前面に循環紙幣Ｍを整列積載するスタックプレート６２と、循環紙幣収納部６本体とスタックプレート６２とを連結してスタックプレート６２を前方に常時付勢する圧縮スプリング６３ａ、６３ｂとを具える。
【００４０】
紙幣収納機構は、紙幣の長手方向側縁をガイドする一対の凹溝（スリット）６５をそれぞれ有する一対のスタックガイド６４と（図示せぬ右方にも左右対称に設けられるものとする）、紙幣左右中心部の前方への移動を規制する保持板６７と、スタックガイド６４と紙幣収納部６本体とを連結してスタックガイド７１を前後動させる一対の図示せぬ往復手段と、この往復手段を駆動させる図示せぬ駆動手段を具える。
【００４１】
スタックガイド６４は、その姿勢を維持したまま循環紙幣収納部６本体に対して前後方向に摺動自在であるように支承され、紙幣処理装置１の電源をオンした際の初期動作時および紙幣収納時に、図示せぬ往復手段によって前後方向に一往復直線移動するようにしている。
【００４２】
待機状態においては、スタックガイド６４の凹溝６５は、紙幣搬送通路２両側部の前後面および両側縁を形成する。そして、入金された紙幣の搬送位置（収納待機位置）と収納済みの紙幣Ｍとはスタックガイド６４により一定の隙間を有し、収納紙幣Ｍが紙幣の搬送の妨げにならないようにしている。
【００４３】
すなわち、スタックガイド６４は、紙幣収納庫６１に収納した収納紙幣Ｍが紙幣搬送通路２側に戻ることを阻止する機能と、紙幣搬送通路２にある紙幣の紙幣収納庫６１への侵入を阻止する機能と、紙幣搬送通路２における紙幣の長手方向側縁の通路幅を規制する壁としての機能とを得るように構成されている。また、スタックガイド６４は、左右方向および上下方向への移動を規制されて、前後方向のみ可動するように構成されるものとする。
【００４４】
また、スタックガイド６４の前側に、スタックガイド６４が最も前方に移動した際に、開閉部４の後面に当接する付勢部６６を形成して、紙幣収納部６の装着時に開閉部４を完全に閉塞していなかった場合でも（図３参照）、初期動作時においてスタックガイド６４が一往復する際に、付勢部６６が開閉部４を前方に付勢して、完全に閉塞するようにしている。
【００４５】
なお、上記の各機能を有すものであれば、スタックガイド６４の形状はどのようなものであってもよく、例えば、紙幣搬送通路２と紙幣収納庫６１とを隔てる壁と紙幣の長手方向側縁の通路幅を規制する壁とを、一体的に設けることも、別途設けることもできる。
【００４６】
保持板６７は、待機状態における凹溝６５の前側壁と略同一平面上に後壁を有し、左右のスタックガイド６４間に介在するように紙幣収納部６本体に固設されるものである。この保持板６７は、紙幣収納動作時においてスタックガイド６４が前方に移動する際に、凹溝６５内の紙幣の前面に当接して紙幣の前方への移動を規制する。そして、紙幣の両側縁が凹溝６５から外れ、紙幣がスタックガイド６４より後方に侵入し、紙幣が紙幣収納庫６１内のスタックプレート６２上に収納されるようにしている。
【００４７】
このように、凹溝６５内の紙幣を紙幣収納庫６１の方向に押出すのではなく、保持板６７が紙幣の前方への移動を規制した状態でスタックガイド６４を紙幣収納庫６１とは逆方向移動させて凹溝６５から紙幣の両側縁を外れさせるようにして、紙幣収納庫６１内の有効容量を減縮させないようにしている。
【００４８】
なお、本発明の紙幣処理装置における入口センサ、磁気センサ、光センサ、各紙幣搬送手段、往復手段および駆動手段には、従来技術が適応可能であり、また、本発明に係る部分ではないので、詳細な説明は省略するものとする。
【００４９】
以上の如く構成した紙幣処理装置１において、紙幣識別部３の開閉部４を完全に閉塞しないまま、紙幣収納部６を紙幣処理装置１本体に装着した際、または、電源をオンにした際の初期動作について説明する。なお、本発明は、上述したように、循環紙幣返却機構を具えた紙幣処理装置にも適用可能であるので、紙幣収納庫６１内に釣札用の紙幣Ｍが収納されているものの例を用いて説明する。
【００５０】
紙幣処理装置１は、紙幣収納部６を紙幣処理装置１本体に装着した時、図示せぬセンサによって紙幣収納部６の装着を検知すると、初期動作としてスタックガイド６４を一回往復移動させる。また、紙幣処理装置１は、電源をオンにした際にもこの初期動作を行う。
【００５１】
図３乃至図６は、それぞれ、紙幣収納部６の装着直後、付勢部６６の開閉部４への当接時、付勢部６６の開閉部４への押圧時、スタックガイド６４の最大移動位置への到達時を示し、各図において、（ａ）は、紙幣処理装置１の中央縦断面図であり、（ｂ）は、開閉部４の右側面図である。
【００５２】
図３に示すように、紙幣収納部６を紙幣処理装置１本体に装着するか、または、紙幣処理装置１の電源をオンすると、初期動作を行うよう図示せぬ制御部から指令が出される。すると、紙幣収納機構の図示せぬ駆動手段を介して図示せぬ往復手段が駆動して、スタックガイド６４が前方に移動開始する。
【００５３】
図４に示すように、スタックガイド６４が可動前端に至る前に、付勢部６６の先端が開閉部４の後面に当接する。この際、スタックガイド６４が前方に移動するとともに、紙幣収納庫６１内の収納紙幣Ｍがスタックガイド６４の後面とスタックプレート６２に挟持されながら、圧縮スプリング６３ａ、６３ｂの付勢力によって前方に移動する。収納紙幣Ｍの前面が保持板６７に到達すると、収納紙幣Ｍの前方への移動は保持板６７によって規制されて、スタックガイド６４のみが前方への移動を続ける。
【００５４】
図５に示すように、スタックガイド６４が前方への移動を続けるとともに、付勢部６６の先端が開閉部４上部を前方に付勢すると、開閉部４が閉塞する方向に回転する。すると、ロック凸部５３が、ロック受部３２の斜面３３に当接し、スタックガイド６４が前方への移動によってさらに押圧すると、ロック凸部５３が斜面３３に案内されて下方に移動する。この際、ロック凸部５３が回動軸５２を中心にして下方に揺動するとともに、弾性腕部５４が前方に湾曲して弾性復帰力が生じる。
【００５５】
図６に示すように、スタックガイド６４が最大移動位置に到達までに、ロック凸部５３がロック受部３２後壁の下を潜り抜けて、開閉部４が完全に閉塞する。さらに、弾性腕部５４の弾性復帰力によりロック凸部５３が上方に復帰してロック受部３３内に掛合し、ロック状態となる。
【００５６】
その後、スタックガイド６４は後方に移動して、収納待機位置に復帰し、図２に示す紙幣受入可能状態（待機状態）となる。
【００５７】
ここで、開閉部４は、常時図示せぬ従動ローラに付勢されているので、付勢部６６が開閉部４から離れると、ロック凸部５３が開閉部４の拡開方向に押し戻されてロック受部３２における斜面３３が設けられた面の反対側の面と常時接触した状態となり、開閉部４の姿勢が一定になる。
【００５８】
なお、紙幣処理装置１は、開閉部４が完全に閉塞している場合であっても、スタックガイド６４が往復動作をする際には、付勢部６６は開閉部４に当接して開閉部４を閉じる方向へ付勢する。紙幣収納動作においてスタックガイド６４が往復動作する際にも、付勢部６６によって開閉部４が付勢されて紙幣識別部３が外力を受けるが、紙幣識別部３内を紙幣が通過する際に、紙幣収納動作をすることはないので、識別レベルに影響が及ぶことはない。
【００５９】
このように、開閉部４が完全に閉塞していない場合においても、初期動作においてスタックガイド６４の付勢部６６が最大移動位置に移動する際に紙幣識別部３の開閉部４に当接させるようにすることによって、スタックガイド６４の付勢部６６が開閉部４を付勢して完全に閉塞させることができる。したがって、開閉部４が完全に閉塞していない場合に、作業者が再度紙幣収納部６を取外し、開閉部４を閉塞させる必要がなく、作業に要する時間を短縮することができる。
【００６０】
なお、上記実施例は、本発明の好適な実施の形態を示したものに過ぎず、本発明の技術的範囲は、上記実施例そのものに何ら限定されるものではない。
【符号の説明】
【００６１】
１    紙幣処理装置
２    紙幣搬送通路
２１  入金口
３    紙幣識別部
３１  前壁面
３２  ロック受部
３３  斜面
４    開閉部
４１  後壁面
４２  開閉軸
４３  固着部
５    ロック部材
５１  ロックレバー
５２  回動軸
５３  ロック凸部
５４  弾性腕部
６    紙幣収納部
６１  紙幣収納庫
６２  スタックプレート
６３  圧縮スプリング
６４  スタックガイド
６５  凹溝
６６  付勢部
６７  保持板
【図１】
0006522332.tif 000002
【図２】
0006522332.tif 000003
【図３】
0006522332.tif 000004
【図４】
0006522332.tif 000005
【図５】
0006522332.tif 000006
【図６】
0006522332.tif 000007